(57)【要約】【課題】ビリヤードキューを、簡易な構造でありながら経年しても曲がりにくくする。【解決手段】ビリヤードキュー１０１のシャフト１０２やバット１０３は、本体１１２と補強材１１１とで構成される。本体１１２は、複数の長尺材１１０の側面同士を接合して形成される。本体１１２は、補強材１１１の側面を覆う。長尺材１１０には、本体１１２の外観に現れる曲面部１１３と、この曲面部１１３に隣接し本体１１２を形成するために互いに接合される接合部１１４とが設けられる。さらに、長尺材１１０には、長尺材１１０の長手方向に延びて接合部１１４側に開口する溝部１１５も設けられる。溝部１１５は、接合後の本体１１２の断面視において閉じた断面図形１１６を形成する。補強材１１１の断面の形状は、断面図形１１６と同じである。【選択図】図２
2011239829.tif 000002
【特許請求の範囲】
【請求項１】
複数の長尺材の側面同士を接合して形成される本体と、
長尺をなし側面を前記本体に覆われる補強材と、
を備え、
前記長尺材には、前記本体の外観に現れる曲面部と、前記曲面部に隣接し前記本体を形成するために互いに接合される接合部と、前記長尺材の長手方向に延びて前記接合部側に開口する溝部とが設けられ、
前記溝部は、接合後の前記本体の断面視において閉じた断面図形を形成し、
前記補強材の断面の形状は、前記断面図形と同じである、
ビリヤードキュー。
【請求項２】
前記断面図形は、放射状に延びる複数の凸部を有する、
請求項１記載のビリヤードキュー。
【請求項３】
前記凸部は、前記複数の凸部の放射中心から離れるにつれて幅広になる逆楔形状をなす、
請求項２記載のビリヤードキュー。
【請求項４】
前記長尺材の断面の形状は、扇形であり、
前記溝部は、前記扇形の中心点から前記曲面部に向けて延びる、
請求項１から３のいずれか一に記載のビリヤードキュー。
【請求項５】
前記長尺材は、前記溝部における前記接合部側の開口から抜けようとする前記補強材の抜け止めをする抜け止め部を形成する、
請求項１から４のいずれか一に記載のビリヤードキュー。
【発明の詳細な説明】
【技術分野】
【０００１】
本発明は、ビリヤードキューに関する。
【背景技術】
【０００２】
ビリヤードで用いられるビリヤードキューは、様々な素材で形成される。その中で、木製のビリヤードキューは、触感、打球時のコントロール性能、見た目の美しさ等で人気がある。しかしながら、一般に、木材は、経年変化によって年輪方向に曲がる。このため、木製のビリヤードキューは、どんなに高精度に制作したとしても変形することは避けられない。この点、曲がり発生させないよう作られたビリヤード用キューの発明が、特許文献１に開示されている（例えば、特許文献１）。
【０００３】
特許文献１に記載のビリヤード用キューは、原木１０から角材２０を製材して、製材された角材２０の中央で直角に交差し、末端が角材の縁に接するように十字型断面形状を持つ中心部材２１のみを残し、周辺部材２２，２３，２４，２５を角材の長さ方向にカッティングし、この周辺部材２２，２３，２４，２５を中心部材２１の年輪と相反する方向に中心部材２１に再接合して作られる。特許文献１によれば、接合された角材２０’は、元の角材２０が持っていた変形力、すなわち、年輪の方向性による中心部材２１の変形力と複数個の周辺部材２２，２３，２４，２５の変形力が互いに相殺されて変形が発生せず、真っ直ぐ状態を維持することができる、とされる。
【先行技術文献】
【特許文献】
【０００４】
【特許文献１】特表２００６−５２８０２０号公報
【発明の概要】
【発明が解決しようとする課題】
【０００５】
特許文献１に記載のビリヤード用キューでは、その外観で周回り方向に、中心部材２１と周辺部材２２，２３，２４，２５とが交互に現れる。このため、ビリヤードキューの表面を滑らかにする加工に手間がかかる。
【０００６】
本発明は、上記の点を鑑みてなされたものであり、ビリヤードキューを、簡易な構造でありながら経年しても曲がりにくくすることを目的とする。
【課題を解決するための手段】
【０００７】
本発明のビリヤードキューは、（ｉ）複数の長尺材の側面同士を接合して形成される本体と、（ｉｉ）長尺をなし側面を前記本体に覆われる補強材と、を備え、（α）前記長尺材には、前記本体の外観に現れる曲面部と、前記曲面部に隣接し前記本体を形成するために互いに接合される接合部と、前記長尺材の長手方向に延びて前記接合部側に開口する溝部とが設けられ、（β）前記溝部は、接合後の前記本体の断面視において閉じた断面図形を形成し、（γ）前記補強材の断面の形状は、前記断面図形と同じである。
【発明の効果】
【０００８】
本発明によれば、各長尺材に形成された溝部に補強材が入り込み、補強材が長尺材の変形を防ぎ、ビリヤードキューが簡易な構造でありながら経年しても曲がりにくくなる。
【図面の簡単な説明】
【０００９】
【図１】第一の実施の形態における、ビリヤードキューの正面図である。
【図２】第一の実施の形態における、バット（ビリヤードキュー）の断面構造を説明するための斜視図である。
【図３】第一の実施の形態における、補強材の斜視図である。
【図４】第一の実施の形態における、長尺材の斜視図である。
【図５】（ａ）は、第二の実施の形態における、補強材の斜視図である。（ｂ）は、第二の実施の形態における、長尺材の斜視図である。
【図６】（ａ）は、第一の変形例における、バット（ビリヤードキュー）の断面構造を説明するための斜視図である。（ｂ）は、第一の変形例における、補強材の斜視図である。（ｃ）は、第一の変形例における、別の形状の補強材の斜視図である。
【図７】（ａ）は、第二の変形例における、バット（ビリヤードキュー）の断面構造を説明するための斜視図である。（ｂ）は、第二の変形例における、補強材の斜視図である。（ｃ）は、第二の変形例における、別の形状の補強材の斜視図である。
【図８】（ａ）は、第三の変形例における、バット（ビリヤードキュー）の断面構造を説明するための斜視図である。（ｂ）は、第三の変形例における、補強材の斜視図である。（ｃ）は、第三の変形例における、別の形状の補強材の斜視図である。
【図９】（ａ）は、第四の変形例における、バット（ビリヤードキュー）の断面構造を説明するための斜視図である。（ｂ）は、第四の変形例における、補強材の斜視図である。（ｃ）は、第四の変形例における、別の形状の補強材の斜視図である。
【図１０】（ａ）は、第五の変形例における、バット（ビリヤードキュー）の断面構造を説明するための斜視図である。（ｂ）は、第五の変形例における、補強材の斜視図である。（ｃ）は、第五の変形例における、別の形状の補強材の斜視図である。
【図１１】第三の実施の形態における、長尺材と補強材とを連結する前の状態のバット（ビリヤードキュー）の分解斜視図である。
【図１２】（ａ）は、第四の実施の形態における、本体の断面図である。（ｂ）は、第四の実施の形態における、補強材の断面図である。
【図１３】（ａ）は、第四の実施の形態の変形例における、本体の断面図である。（ｂ）は、第四の実施の形態の変形例における、補強材の断面図である。
【発明を実施するための形態】
【００１０】
実施の一形態を、図１ないし図４に基づいて説明する。説明の便宜上、本実施の形態を第一の実施の形態と呼ぶ。図１は、ビリヤードキュー１０１の正面図である。ビリヤードキュー１０１は、シャフト１０２とバット１０３とを有し、長尺で、先端に向かうほど細くなる。
【００１１】
シャフト１０２は、ビリヤードキュー１０１の先端側に位置する。シャフト１０２の長さは、ビリヤードキュー１０１の長さの略半分である。シャフト１０２の先端には、フェラル１０４及びティップ１０５が取り付けられる。
【００１２】
バット１０３は、ビリヤードキュー１０１の後端側に位置する。バット１０３の長さは、ビリヤードキュー１０１の長さの略半分である。バット１０３の中腹の外周には、グリップ１０６が設けられる。バット１０３の後端には、バットキャップ１０７及びバンパー１０８が設けられる。
【００１３】
シャフト１０２とバット１０３とは、連結部１０９により連結される。連結部１０９には、ジョイントピンと、ジョイントインサートと、ジョイントカラーと、ジョイントリングとが含まれる。
【００１４】
以下、図２ないし図４に基づいて、バット１０３の構造について説明する。シャフト１０２の構造についての説明は、このバット１０３の構造と同じなので、省略する。
【００１５】
図２は、バット１０３の断面構造を説明するための斜視図である。図３は、補強材１１１の斜視図である。図４は、長尺材１１０の斜視図である。バット１０３は、複数の長尺材１１０と補強材１１１とで構成される長尺で、長手方向に直交する断面が真円形状をなし、外周面がテーパ状をなしている。なお、バット１０３は、円柱状であっても良い。
【００１６】
長尺材１１０は、木材で形成された長尺の部材である。長尺材１１０となる木材には、例えば、メープル、コクタン（エボニー）、シタン等の堅いものが用いられる。複数の長尺材１１０は、その側面（後述する接合部１１４）同士が接着剤によって接合されて、本体１１２を形成する。本実施の形態では、長尺材１１０の断面の形状は、中心角が直角である扇形である。そして、本実施の形態では、四本の長尺材１１０が接合されて、本体１１２となる。
【００１７】
長尺材１１０には、曲面部１１３と、接合部１１４と、溝部１１５とが設けられる。曲面部１１３は、本体１１２の外観に現れる。接合部１１４は、曲面部１１３に隣接して長尺材１１０に設けられる。接合部１１４は、本体１１２を形成するために互いに接合される。溝部１１５は、長尺材１１０の長手方向に延びている。この溝部１１５は、接合部１１４側に開口する。本実施の形態では、溝部１１５は、扇形の中心点から曲面部１１３に向けて延びている。
【００１８】
溝部１１５は、長尺材１１０を接合して形成される本体１１２の断面視において、閉じた断面図形１１６を形成する。本実施の形態では、溝部１１５の断面は「コ」字形に形成されている。そして、本実施の形態では、溝部１１５によって形成される断面図形１１６は、十字形である。
【００１９】
補強材１１１は、長尺をなし、その側面を本体１１２に覆われる。補強材１１１は、例えば、堅い木材、竹、プラスチック、金属により形成される。補強材１１１の断面の形状は、溝部１１５によって形成される断面図形１１６と同じである。本実施の形態では、補強材１１１の断面の形状は、十字形である。
【００２０】
バット１０３は、全ての長尺材１１０について接合部１１４及び溝部１１５の内側面に接着剤を塗布し、補強材１１１に対して各長尺材１１０の溝部１１５を嵌め込んで形成される。また、シャフト１０２は、このバット１０３と同様に形成される。そして、バット１０３に対してバットキャップ１０７やバンパー１０８を取り付け、シャフト１０２に対してフェラル１０４やティップ１０５を取り付け、シャフト１０２とバット１０３との連結箇所に連結部１０９を設けることで、ビリヤードキュー１０１が形成される。このように形成されたビリヤードキュー１０１では、各長尺材１１０が長手方向に対して傾斜するように曲がろうとすると、溝部１１５に入り込んだ補強材１１１がその曲がりによる長尺材１１０の変形を防ぐ。したがって、ビリヤードキュー１０１は、簡易な構造でありながら、経年しても曲がりにくくなる。さらに、本実施の形態では、各長尺材１１０の断面の形状が扇形であって、その中心角が直角である。このため、木材を切り出して長尺材１１０とする工程が簡易になる。
【００２１】
実施の別の一形態を、図５（ａ）及び図５（ｂ）に基づいて説明する。説明の便宜上、本実施の形態を第二の実施の形態と呼ぶ。この場合、第一の実施の形態と同一の部分には同一の符号を用い、説明も省略する。
【００２２】
図５（ａ）は、補強材２１１の斜視図である。図５（ｂ）は、長尺材２１０の斜視図である。本実施の形態では、補強材２１１の断面の形状は、手裏剣のような十字形であって、放射状に延びる各凸部２１８は、放射中心から離れるにつれて先細りしている。そして、本実施の形態では、溝部２１５の断面は、「く」字形に形成されていて、溝部２１５によって形成される断面図形２１６が星形のような十字形になっている。
【００２３】
本実施の形態のビリヤードキュー２０１でも、各長尺材２１０が長手方向に対して傾斜するように曲がろうとすると、溝部２１５に入り込んだ補強材２１１がその曲がりによる長尺材２１０の変形を防ぐ。したがって、ビリヤードキュー２０１は、簡易な構造でありながら、経年しても曲がりにくくなる。さらに、本実施の形態のビリヤードキュー２０１では、溝部２１５の断面形状が単純なので、ビリヤードキュー２０１の製造工程の簡略化を図ることができる。
【００２４】
第一の実施の形態及び第二の実施の形態の変形例を、図６（ａ）〜図１０（ｃ）に基づいて説明する。説明の便宜上、図６（ａ）〜図６（ｃ）に示すビリヤードキュー３０１を第一の変形例と呼ぶ。また、図７（ａ）〜図７（ｃ）に示すビリヤードキュー４０１を第二の変形例と呼ぶ。また、図８（ａ）〜図８（ｃ）に示すビリヤードキュー５０１を第三の変形例と呼ぶ。また、図９（ａ）〜図９（ｃ）に示すビリヤードキュー６０１を第四の変形例と呼ぶ。また、図１０（ａ）〜図１０（ｃ）に示すビリヤードキュー７０１を第五の変形例と呼ぶ。
【００２５】
図６〜図１０について、（ａ）は、バット３０３、４０３、５０３、６０３、７０３の断面構造を説明するための斜視図である。また、図６〜図１０について、（ｂ）は、補強材３１１、４１１、５１１、６１１、７１１の斜視図である。また、図６〜図１０について、（ｃ）は、別の形状の補強材３１１’、４１１’、５１１’、６１１’、７１１’の斜視図である。各実施例で示すように、長尺材３１０、４１０、５１０、６１０、７１０の断面の形状は、真円を複数個に分割した扇形である。なお、このときの扇形は、真円を等分割したものであってもよいし（例えば、図６（ａ）、図７（ａ）、図１０（ａ））、真円を等分割ではなく分割されたものあってもよい（例えば、図８（ａ）、図９（ａ））。また、各実施例で示すように、溝部３１５、４１５、５１５、６１５、７１５の断面は、「コ」字形に形成されていても「く」字形に形成されていてもよい。そして、補強材の断面の形状は、溝部３１５、４１５、５１５、６１５、７１５によって形成される断面図形３１６、４１６、５１６、６１６、７１６と一致していれば、星形状（補強材３１１、４１１、５１１、６１１、７１１）であっても、ゴシック体のアスタリスク文字（「＊」）のような形状（補強材３１１’、４１１’、５１１’、６１１’、７１１’）であってもよい。
【００２６】
実施の別の一形態を、図１１に基づいて説明する。説明の便宜上、本実施の形態を第三の実施の形態と呼ぶ。本実施の形態は、第一の実施の形態に準じて説明され、第一の実施の形態と同一の部分には同一の符号を用い、説明も省略する。
【００２７】
図１１は、長尺材８１０と補強材１１１とを連結する前の状態のバット８０３の分解斜視図である。本実施の形態では、長尺材８１０は断面視半円形状をなしている。また、長尺材８１０の接合部８１４に設けられている溝部８１５は、この半円の中心点から曲面部８１３に向けて二股に分かれて延びている。さらに、長尺材８１０には、溝部８１５における接合部８１４側の開口の縁を形成する部分を迫り出させて、この開口を溝部８１５の奥側よりも狭くする抜け止め部８５１が形成される。そして、本実施の形態では、補強材１１１が長尺材８１０の端面側から溝部８１５にスライド嵌合される。
【００２８】
本実施の形態のビリヤードキュー８０１でも、各長尺材８１０が長手方向に対して傾斜するように曲がろうとすると、溝部８１５に入り込んだ補強材１１１がその曲がりによる長尺材８１０の変形を防ぐ。したがって、ビリヤードキュー８０１は、簡易な構造でありながら、経年しても曲がりにくくなる。さらに、本実施の形態のビリヤードキュー２０１では、抜け止め部８５１によって補強材１１１が溝部８１５の接合部８１４側の開口から抜けなくなる。このため、補強材１１１を長尺材８１０に組み付けるときに、長尺材８１０を押さえつける必要がなくなり、ビリヤードキュー８０１の製造工程がさらに簡略化される。
【００２９】
なお、当然のことながら、本実施の形態の抜け止め部８５１は、第二の実施の形態のビリヤードキュー２０１、及び、第一の変形例〜第五の変形例のビリヤードキュー３０１、４０１、５０１、６０１、７０１に適用してもよい。
【００３０】
実施の別の一形態を、図１２（ａ）及び図１２（ｂ）に基づいて説明する。説明の便宜上、本実施の形態を第四の実施の形態と呼ぶ。本実施の形態は、第三の実施の形態に準じて説明され、第三の実施の形態と同一の部分には同一の符号を用い、説明も省略する。
【００３１】
図１２（ａ）は、本体９１２の断面図である。図１２（ｂ）は、補強材９１１の断面図である。本実施の形態では、長尺材９１０は断面視半円形状をなしている。また、長尺材９１０の接合部９１４に設けられている溝部９１５は、この半円の中心点から曲面部９１３に向けて二股に分かれて延びている。さらに、長尺材９１０には、溝部９１５における接合部９１４側の縁を形成する部分を迫り出させて、この開口を溝部９１５の奥側よりも狭くする抜け止め部９５１が形成される。
【００３２】
本実施の形態では、溝部１１５によって形成される断面図形９１６の、放射状に延びる複数の凸部９１８は、いずれも、放射中心から離れるにつれて幅広になる逆楔形状をなしている。そして、補強材９１１の断面の形状は、この断面図形８１６と同じである。補強材９１１は、長尺材９１０の端面側から溝部９１５にスライド嵌合される。
【００３３】
本実施の形態のビリヤードキュー９０１でも、各長尺材９１０が長手方向に対して傾斜するように曲がろうとすると、溝部９１５に入り込んだ補強材９１１がその曲がりによる長尺材９１０の変形を防ぐ。したがって、ビリヤードキュー９０１は、簡易な構造でありながら、経年しても曲がりにくくなる。さらに、本実施の形態のビリヤードキュー９０１では、溝部９１５が断面視逆楔形状に形成されていて、これに補強材９１１が入り込んでいる。このため、補強材９１１の、溝部９１５の接合部９１４側の開口からの抜け止めが一層確実になる。
【００３４】
第四の実施の形態の変形例を、図１３（ａ）及び図１３（ｂ）に基づいて説明する。図１３（ａ）は、本体１０１２の断面図である。図１３（ｂ）は、補強材１０１１の断面図である。ビリヤードキュー１００１において凸部１０１８の断面視が逆楔形状となるように溝部１０１５を形成することは、第一の実施の形態及び第二の実施の形態並びにその変形例にも適用でき、例えば、一の長尺材１０１０に対して二股に分かれていない場合にも適用できる。図１３（ａ）及び図１３（ｂ）では、断面視の扇形の中心角が１２０度である場合の長尺材１０１０に対する適用例を示している。さらに、例えば、図４、図６（ａ）、図７（ａ）、図６（ａ）、図８（ａ）、図９（ａ）、図１０（ａ）に示したような長尺材１１０、３１０、４１０、５１０、６１０、７１０に対して、凸部１０１８の断面視が逆楔形状となるように溝部１０１５を形成することもできる。
【００３５】
なお、これまでに述べた実施の形態及びその変形例では、補強材がビリヤードキューの軸心に一致して延びているが、補強材をビリヤードキューの軸心に一致させずにこの軸心に平行に配置してもよい。
【符号の説明】
【００３６】
１０１    ビリヤードキュー
１１１    補強材
１１２    本体
１１３    曲面部
１１４    接合部
１１５    溝部
１１６    断面図形
２１８、９１８、１０１８    凸部
８５１、９５１            抜け止め部
【図１】
2011239829.tif 000003
【図２】
2011239829.tif 000004
【図３】
2011239829.tif 000005
【図４】
2011239829.tif 000006
【図５】
2011239829.tif 000007
【図６】
2011239829.tif 000008
【図７】
2011239829.tif 000009
【図８】
2011239829.tif 000010
【図９】
2011239829.tif 000011
【図１０】
2011239829.tif 000012
【図１１】
2011239829.tif 000013
【図１２】
2011239829.tif 000014
【図１３】
2011239829.tif 000015